(57)【要約】  ビデオデータと共に再生可能な付加データのアップデート方法及びそれによる再生装置を提供する。本発明によるＡＶデータに対する付加データをアップデートする方法は、ＡＶデータを再生しつつ、現在再生中であるプレイアイテムと共に再生可能な付加データに該当するクリップをダウンロードする段階と、ダウンロードされたクリップに含まれたクリップ情報を参照して、プレイアイテムのプレイアイテム情報をアップデートする段階と、アップデートされたプレイアイテム情報を参照して、プレイアイテムのメインビデオストリームの現在再生時点と同期を合わせて、クリップに含まれたクリップストリームを再生する段階と、を含む。
2010522948.tif 000002
【特許請求の範囲】
【請求項１】
ＡＶデータに対応する付加データをダウンロードする方法において、
前記ＡＶデータのプレイアイテムを画面に再生しつつ、クリップストリームとクリップ情報とを含む付加データをダウンロードする段階と、
アップデートされた再生情報を再生するために、前記クリップ情報によってプレイアイテムの再生情報をアップデートする段階と、
前記アップデートされた再生情報を利用して、前記プレイアイテムのメインビデオストリームの現在再生時点と同期を合わせて、前記クリップストリームを再生する段階と、を含むことを特徴とする付加データアップデート方法。
【請求項２】
前記付加データをダウンロードする段階は、
サーバに付加データリストを要請するために、前記プレイアイテム上にディスプレイされるメニューを利用する段階と、
前記要請に応じて前記プレイアイテムの前記再生情報を前記サーバに伝送する段階と、
前記サーバから前記付加データリストを受信して前記メニューに前記受信された付加データリストをディスプレイする段階と、
前記付加データリストから前記付加データを選択するために、前記メニューを利用して前記付加データに対するダウンロード要請を前記サーバに伝送する段階と、
前記サーバから前記付加データを受信する段階と、を含むことを特徴とする請求項１に記載の付加データアップデート方法。
【請求項３】
前記再生情報をアップデートする段階は、
前記クリップストリームの開始時刻を決定するために前記クリップ情報をパージングする段階と、
前記クリップストリームに対するサブパス、前記クリップストリームの開始時間による前記サブパスの開始時刻、及び前記クリップストリームのファイル位置を利用して前記再生情報をアップデートする段階と、を含むことを特徴とする請求項１に記載の付加データアップデート方法。
【請求項４】
前記クリップストリームを再生する段階は、
前記プレイアイテムを示すメニューをディスプレイ上にディスプレイすることで前記付加データが再生準備されたことを信号化する段階と、
前記メニューを通じて前記付加データの再生要請が入力される段階と、をさらに含むことを特徴とする請求項１に記載の付加データアップデート方法。
【請求項５】
前記クリップストリームを再生する段階は、
前記クリップストリームの長さが前記プレイアイテムの長さと同じ場合、前記プレイアイテムの開始時刻と前記プレイアイテムの前記現在再生時刻との差により前記クリップストリームの現在再生時刻を決定する段階と、
前記プレイアイテムの開始時刻が前記プレイアイテムの前記開始時刻と異なれば、前記付加データのダウンロード要請時点と前記クリップストリームの前記現在再生時刻との差により前記クリップストリームの現在再生時刻を決定する段階と、を含むことを特徴とする請求項１に記載の付加データアップデート方法。
【請求項６】
前記付加データは、字幕データ、オーディオデータ、補助ビデオデータ及びインタラクティブグラフィックデータのうち、１つであることを特徴とする請求項１に記載の付加データアップデート方法。
【請求項７】
請求項１に記載の前記方法を行うコンピュータプログラムを記録したコンピュータ判読可能な記録媒体。
【請求項８】
ＡＶデータ及び付加データを再生する再生装置において、
サーバとの通信のための通信部と、
前記通信部がクリップストリームとクリップ情報とを含む前記付加データをダウンロードすべく制御し、前記ディスプレイされるＡＶデータからプレイアイテムを再生すべく制御し、前記プレイアイテムの再生停止なしに前記クリップストリームが再生されるように制御し、前記クリップストリームが、前記プレイアイテムのメインビデオストリームの現在再生時刻と同期して再生されるようにする再生制御部と、前記クリップ情報を利用してプレイアイテムの再生情報をアップデートする付加データ追加部と、を含むことを特徴とする再生装置。
【請求項９】
前記再生制御部は、
前記ディスプレイに前記プレイアイテム上にディスプレイされたメニューを通じて付加データリストが要請されれば、
前記プレイアイテムの前記再生情報を前記サーバに伝送し、
前記サーバから前記付加データリストを受信し、前記メニューにディスプレイされた付加データリストから選択された付加データに対する要請を前記サーバに伝送して、前記付加データを受信する段階を含むことを特徴とする請求項８に記載の再生装置。
【請求項１０】
前記付加データ追加部は、
前記クリップストリームに対するサブパス、前記クリップストリームの開始時間による前記サブパスの開始時刻、及び前記クリップストリームのファイル位置を前記再生情報に付加するために、前記クリップ情報を利用することを特徴とする請求項８に記載の再生装置。
【請求項１１】
前記再生制御部は、前記ディスプレイ上にディスプレイされるメニューを利用することによって、前記メニューを通じて前記付加データの再生要請を受信するために、前記付加データが再生準備されたことを示すことを特徴とする請求項８に記載の再生装置。
【請求項１２】
前記再生制御部は、
前記クリップストリームの長さが前記プレイアイテムの長さと同じ場合、前記プレイアイテムの開始時刻と前記プレイアイテムの現在再生時刻との差によって前記クリップストリームの現在再生時刻を決定し、
前記クリップストリームが前記ダウンロード要請時間を開始時間とすれば、前記付加データのダウンロード要請時点と前記プレイアイテムの前記現在再生時刻との差によって前記クリップストリームの現在再生時刻を決定することを特徴とする請求項８に記載の再生装置。
【請求項１３】
前記付加データは、字幕データ、オーディオデータ、補助ビデオデータ及びインタラクティブグラフィックデータのうち、１つであることを特徴とする請求項８に記載の再生装置。
【請求項１４】
前記クリップ情報は、前記クリップストリームのパケットＩＤ（ＰＩＤ）情報、前記クリップストリームの長さ及び前記クリップストリームの開始時間を含むことを特徴とする請求項１に記載の付加データアップデート方法。
【請求項１５】
前記クリップストリームの前記開始時間は、前記付加データのダウンローディング時間であることを特徴とする請求項５に記載の付加データアップデート方法。
【請求項１６】
前記再生制御部は、前記クリップストリームをユーザからの要請に応信して再生することを特徴とする請求項８に記載の再生装置。
【請求項１７】
前記クリップ情報は、前記クリップストリームのパケットＩＤ（ＰＩＤ）情報、前記クリップストリームの長さ及び前記クリップストリームの開始時間を含むことを特徴とする請求項８に記載の再生装置。
【請求項１８】
ＡＶデータと付加データとを再生する装置において、
外部サーバと通信する通信部と、
前記外部サーバから前記通信部を通じてダウンロードされたクリップストリームとクリップ情報とを含む前記付加データを保存し、前記ＡＶデータのプレイアイテムに関する再生情報を保存するメモリと、
前記プレイアイテムを再生し、前記プレイアイテムを再生する間に前記クリップ情報を利用して、前記再生情報をアップデートし、前記アップデートされた再生情報を利用して、前記プレイアイテムに同期化して前記クリップストリームを再生するための再生制御部と、を含むことを特徴とする再生装置。
【請求項１９】
前記制御部は、前記再生情報に前記クリップストリームのサブパスを生成することによって、前記再生情報をアップデートすることを特徴とする請求項１８に記載の再生装置。
【請求項２０】
前記再生制御部は、
前記クリップストリームの長さが前記プレイアイテムの長さと同じ場合、前記プレイアイテムの開始時刻と前記プレイアイテムの現在再生時刻との差によって前記クリップストリームの現在再生時刻を決定し、
前記クリップストリームが前記ダウンロード要請時間を開始時間とすれば、前記付加データのダウンロード要請時点と前記プレイアイテムの前記現在再生時刻との差によって前記クリップストリームの現在再生時刻を決定することを特徴とする請求項１９に記載の再生装置。
【請求項２１】
前記制御部は、
前記クリップストリームに対するサブパス、前記クリップストリームの開始時間による前記サブパスの開始時刻、及び前記クリップストリームのファイル位置を前記再生情報に付加するために、前記クリップ情報を利用することを特徴とする請求項１９に記載の再生装置。
【発明の詳細な説明】
【技術分野】
【０００１】
本発明は、ＡＶ（Ａｕｄｉｏ  Ｖｉｓｕａｌ）データの再生装置に係り、さらに詳細には、ビデオデータと共に再生可能な付加データのアップデート方法及びそれによる再生装置に関する。
【背景技術】
【０００２】
ブルーレイディスクプレーヤーでディスクに記録されたデータとネットワークを通じてダウンロードした付加データを共に再生しようとする時、従来技術によれば、再生する字幕／オーディオデータ（またはストリームデータ）などの付加データだけではなく、字幕／オーディオデータのデータベースファイル（ブルーレイディスク規格によるプレイリスト及びクリップ情報ファイル）を共にダウンロードした後、タイトル転換時にダウンロードしたファイルとディスクに記録されているファイルとをバインディングして新たな仮想ファイルシステム（Ｖｉｒｔｕａｌ  Ｆｉｌｅ  Ｓｙｓｔｅｍ）、すなわち、仮想パッケージ（Ｖｉｒｔｕａｌ  Ｐａｃｋａｇｅ）を構成し、これを基盤にダウンロードした付加データをディスクに記録されたデータと共に再生する。
【０００３】
しかし、従来技術によれば、仮想パッケージのアップデートが完了すれば、タイトル転換が行われ、タイトル転換が完了して初めて、ユーザがダウンロードした付加データを選択できるので、タイトル転換の発生前には、ダウンロードが完了しても、ダウンロードしたデータを利用できないという問題がある。また、映画鑑賞中にディスクが提供しない字幕／オーディオを活用しようと思って、ダウンロードし始めても、タイトル転換が発生して始めて、新たな字幕／オーディオが再生できるので、再生中であった映画が切れたり、タイトルを最初から再生せねばならない問題がある。
【発明の概要】
【発明が解決しようとする課題】
【０００４】
本発明は、前記問題を解決して、ＡＶデータの再生中にタイトルの転換なしに新たな付加データをダウンロードして再生することによって、ＡＶデータ再生時の切れ現象のない付加データアップデート方法及びその再生装置を提供することを目的とする。
【課題を解決するための手段】
【０００５】
前記課題を解決するための本発明の一特徴は、ＡＶデータに対する付加データをアップデートする方法において、前記ＡＶデータを再生しつつ現在再生中であるプレイアイテムと共に再生可能な付加データに該当するクリップをダウンロードする段階と、前記ダウンロードされたクリップに含まれたクリップ情報を参照して前記プレイアイテムのプレイアイテム情報をアップデートする段階と、前記アップデートされたプレイアイテム情報を参照して前記プレイアイテムのメインビデオストリームの現在再生時点と同期を合わせて前記クリップに含まれたクリップストリームを再生する段階と、を含むことである。
【０００６】
前記クリップをダウンロードする段階は、前記ＡＶデータの再生画面にディスプレイされたメニューを通じて追加的にダウンロード可能な付加データリストが要請されれば、前記プレイアイテムに対する再生情報をサーバに伝送する段階と、前記サーバから前記再生情報によって検索された付加データリストを受信すれば、前記メニューに前記受信された付加データリストをディスプレイする段階と、前記ディスプレイされた付加データリストから選択された付加データに対するダウンロード要請を前記サーバに伝送する段階と、前記サーバから前記選択された付加データに該当するクリップを受信する段階と、を含むことができる。
【０００７】
前記プレイアイテム情報をアップデートする段階は、前記クリップ情報をパージングし、前記パージング結果を参照して前記プレイアイテム情報に新規クリップをサブパス形式で追加する段階と、前記クリップストリームの再生開始情報を前記追加されたクリップのためのサブパスの開始時刻として記録する段階と、前記プレイアイテム情報に前記クリップストリームのファイル位置を記録する段階と、を含むことができる。
【０００８】
前記クリップに含まれたクリップストリームを再生する段階は、前記ＡＶデータの再生画面にディスプレイされたメニューを通じて前記付加データの再生準備が完了したことを知らせる段階と、前記メニューを通じて前記付加データの再生要請が入力される段階と、をさらに含むことができる。
【０００９】
前記クリップに含まれたクリップストリームを再生する段階は、前記クリップストリームが前記プレイアイテムと同じ長さを有する場合、前記プレイアイテムの開始時刻と現在時刻との差により前記クリップストリームの再生時刻を決定する段階と、前記クリップストリームが前記ダウンロード要請時点を開始時刻として有する場合、前記ダウンロード要請時点と現在時刻との差により前記クリップストリームの再生時刻を決定する段階と、を含むことができる。
【００１０】
前記付加データは、字幕データ、オーディオデータ、補助ビデオデータまたはインタラクティブグラフィックデータでありうる。
【００１１】
本発明の他の特徴は、ＡＶデータ及び付加データを再生する再生装置において、サーバとの通信のための通信部と、前記ＡＶデータを再生しつつ前記通信部を通じて現在再生中であるプレイアイテムと共に再生可能な付加データに該当するクリップをダウンロードして、前記付加データの再生が要請されれば、前記プレイアイテムのメインビデオストリームの現在再生時点と同期を合わせて前記クリップに含まれたクリップストリームを再生する再生制御部と、前記ダウンロードされたクリップに含まれたクリップ情報を参照して前記プレイアイテムのプレイアイテム情報をアップデートする付加データ追加部と、を含むことである。
【００１２】
本発明によって追加的にダウンロードしてアップデートする付加データは字幕データ、オーディオデータ、補助ビデオデータ（Ｓｅｃｏｎｄａｒｙ  Ｖｉｄｅｏ  Ｄａｔａ）、インタラクティブグラフィックデータなどを含む概念である。また、以下では、ブルーレイディスクに記録されたＡＶデータの再生をブルーレイディスクプレーヤーを例として説明したが、本発明の技術的思想がこれに限定されるものではなく、他の形式のＡＶデータ及び再生装置にも適用されうる。
【発明の効果】
【００１３】
本発明によれば、ＡＶデータの再生中にタイトルを転換せずとも、現在再生中である付加データの代わりにダウンロードした付加データをＡＶデータと共に再生しうる。結果的に再生中であるＡＶデータを切れ目なく、視聴しつつも字幕などを変えることができる。
【図面の簡単な説明】
【００１４】
【図１】本発明の一実施例による付加データアップデート可能な再生装置の構成図である。
【図２】本発明の一実施例によってＡＶデータとアップデートされた付加データとを再生するためのデータの流れを示す図である。
【図３】本発明の一実施例による付加データアップデート方法のフローチャートである。
【図４】本発明の一実施例による付加データダウンロード方法のフローチャートである。
【図５】本発明の一実施例によるプレイアイテム情報アップデート方法のフローチャートである。
【図６】本発明の一実施例による新規付加データ再生方法のフローチャートである。
【発明を実施するための形態】
【００１５】
以下、添付された図面を参照して本発明の望ましい実施例を説明する。
【００１６】
図１は、本発明の一実施例による付加データアップデート可能な再生装置１５０の構成図である。図１を参照するに、再生装置１５０は、インターネットなどのネットワーク上に連結された外部サーバ１００と情報を送受信する通信部１５３を含む。再生装置１５０は、光ディスク１５１に記録されたＡＶデータを再生し、通信部１５３を通じて外部サーバ１００からダウンロードした付加データを光ディスク１５１に記録されたデータと共に再生して出力部１６０に出力するように制御する再生制御部１５２と、再生制御部１５２がダウンロードした付加データを現在再生中であるＡＶデータと同期を合わせて再生可能にＡＶデータの再生制御情報をアップデートする付加データ追加部１５５とを含む。ダウンロードした付加データは、ハードディスクなどローカルストレージ１５６またはシステムメモリ１５４に保存される。
【００１７】
多様な実施例によれば、再生制御部１５２は、付加データ追加部を含むことができる。再生制御部１５２は、システムメモリ１５４に再生情報を保存することができる。再生情報はタイトル、プレイリスト及び／またはプレイアイテム、プレイアイテムの識別情報に関連しうる。再生制御部１５２は、付加データのクリップ情報を利用して再生情報をアップデートしうる。
【００１８】
図２は、本発明の一実施例によってＡＶデータとアップデート／ダウンロードされた付加データとを再生するための装置２００のダイヤグラムである。類似した構成要素は、図１について開示された参照符号と同じ番号を有する。図２を参照するに、装置は、再生制御部１５２を含む。再生制御部１５２は、読出部１７１、ＤＥＭＵＸＥＲ１７２、１７３、ビデオデコーダ１７４、サブタイトル及び／またはＩＧデコーダ、主オーディオデコーダ１７６、補助ビデオデコーダ１７７、補助オーディオデコーダ１７８を含む。光ディスク１５１に記録されたＡＶデータと外部からダウンロードしてハードディスク１５６やシステムメモリ１５４に保存された付加データは、読出部１７１により読出されてＤＥＭＵＸＥＲ１７２、１７３を通じて主ビデオストリーム、主オーディオストリーム、字幕及び／またはインタラクティブストリーム、補助ビデオストリーム、補助オーディオストリームに分離され、各々ビデオデコーダ１７４、主オーディオデコーダ１７６、字幕及び／またはＩＧデコーダ１７５、補助ビデオデコーダ１７７、補助オーディオデコーダ１７８により再生されてディスプレイ１６１及びスピーカー１６２に出力される。
【００１９】
図３は、本発明の一実施例による付加データアップデート／ダウンローディング方法を示すフローチャートである。図３を参照するに、再生制御部１５２は、光ディスク１５１のＡＶデータを再生しつつ、クリップストリームを含む付加データをダウンロードする（３０２）。再生されるＡＶデータは、プレイアイテムとして参照されうる。プレイアイテムは、メインビデオストリームを含みうる。プレイアイテムは、全体映画であるか、または映画の一チャプタ−になりうる。付加データは、プレイアイテムと同時に、例えば、プレイアイテムのメインビデオストリームと同時に再生されうる。付加データ追加部１５５は、再生制御部１５２の制御によって、ダウンロードされた付加データに含まれたクリップ情報を読んで現在再生中であるプレイアイテムの再生情報をアップデートする（３０４）。換言すれば、プレイアイテムの再生情報は、付加データのクリップストリームが再生情報に加えられるように修正されてプレイアイテムのメインビデオストリームがクリップストリームに同期されうる。
【００２０】
ユーザからダウンロードされた付加データの再生が要請されれば、再生制御部１５２は、アップデートされたプレイアイテム情報を参照してダウンロードされた付加データを再生し、この際、現在再生中であるプレイアイテムのメインビデオストリームの現在再生時点と同期を合わせて、ダウンロードされた付加データに含まれたクリップストリームを再生する（３０６）。ブルーレイディスクプレーヤーの場合、ジャバアプリケーションとシステムアプリケーションによりＡＶデータの再生と付加データアップデート過程が実行及び制御される。再生制御部１５２の付加データダウンロード及び再生方法は、図４及び図６を参照し、付加データ追加部１５５のプレイアイテム再生情報アップデート方法については図５を参照して後述する。
【００２１】
図４は、本発明の一実施例による付加データダウンロード方法のフローチャートである。図４を参照するに、ジャバアプリケーションが付加データアップデートメニューを提供する（４０２）。ユーザが光ディスク１５１からプレイアイテムを再生する最中にディスク１５１で提供している付加データ（字幕、オーディオなど）以外の他の付加データを再生しようとする場合、例えば、ディスク１５１では英語及びフランス語字幕のみを提供するか、韓国語字幕を願う場合、ディスク１５１で提供するメニュー（ブルーレイディスクの場合、ジャバアプリケーションを通じて提供されるメニュー）を通じてディスク１５１が指定している外部サーバ１００に接続する。外部サーバ１００は、光ディスク１５１により指定されたサーバ、例えば、ウェブサーバでありうる。ユーザは、接続を初期化するために、光ディスク１５１から提供されるメニューを利用しうる。ユーザは、ＡＶデータを示す画面にディスプレイされた前記メニューを通じて付加データリストを要請しうる（４０４）。
【００２２】
次いで、ジャバアプリケーションまたはシステムアプリケーションがプレイアイテムについての再生情報をサーバ１００に伝送する（４０６）。伝送される再生情報には、現在再生中であるディスク１５１のタイトル／プレイリスト、及び／またはプレイアイテムについての情報を含みうる。再生情報は、光ディスク１５１から読出されうる。外部サーバ１００は、受信された再生情報を参照して現在再生中であるプレイアイテムと共に再生しうる付加データについての情報を検索する。ジャバアプリケーションは、外部サーバ１００から前記検索された情報を受信して付加データリストをディスプレイすることでユーザに提供する（４０８）。ユーザは、ジャバアプリケーションが提供するメニューを通じてダウンロード可能な付加データリストから所望の付加データを選択する（４１０）。ジャバアプリケーションは、ユーザにより選択された付加データに対するダウンロード要請を外部サーバ１００に伝送し、サーバから選択された付加データを受信してローカルストレージ１５６またはシステムメモリ１５４に保存する（４１２）。この際、選択された付加データに対するあらゆるデータベースファイルがダウンロードされるものではなく、選択された付加データに該当するクリップストリーム（Ｃｌｉｐ  Ｓｔｒｅａｍ）とクリップ情報（Ｃｌｉｐ  Ｉｎｆｏｒｍａｔｉｏｎ）を含むクリップのみダウンロードされる。
【００２３】
クリップ情報は、クリップストリームに関連したパケットＩＤ（ＰＩＤ）とストリーム情報を含みうる。クリップ情報は、クリップストリームの長さとクリップストリームの再生開始情報とを含みうる。
【００２４】
図５は、本発明の一実施例によるプレイアイテム再生情報アップデート方法のフローチャートである。図５を参照するに、まずシステムアプリケーションが付加データのダウンロード完了如何を確認し、ダウンロード完了時、ダウンロードされた付加データのファイル位置及び名称はジャバアプリケーションにより再生装置１００のシステムアプリケーションに伝えられて行われる（５０２）。システムアプリケーションは、付加データに含まれたクリップ情報をシステムメモリ１５４にロードする（５０４）。また、クリップ情報は、パケットＩＤ（ＰＩＤ）及びストリーム情報を確認するためにパージングされ（５０６）、前記パージング結果を参照して現在再生中であるプレイアイテムの再生情報に付加データのクリップストリームをサブパス（ＳｕｂＰａｔｈ）形式に追加することによって、ＡＶデータの再生情報をアップデートする（５０８）。また、新規クリップストリームの再生開始情報を追加されたクリップのためのプレイアイテム内のサブパスの開始時刻（Ｉｎ−ｔｉｍｅ）に記録する（５１０）。再生のための付加データの準備を完了するために現在再生中であるプレイアイテムの再生情報に新規クリップストリームのファイル位置を記録する（５１２）。システムアプリケーションは、ジャバアプリケーションに準備完了事実を通知する（５１４）。
【００２５】
図６は、本発明の一実施例によるダウンロードされた付加データ再生方法のフローチャートであり、アップデートされたプレイアイテム再生情報を利用してダウンロードした付加データを現在再生中であるプレイアイテムと同期を合わせて再生する方法についてのものである。図６を参照するに、まずジャバアプリケーションがユーザに付加データの再生準備されたことを知らせる（６０２）。このメッセージは、ＡＶデータが現在再生するディスプレイ１６１にディスプレイされたメニューを通じて出力されうる。ユーザは、このメニューを通じてクリップストリームを選択して再生を要請する（６０４）。
【００２６】
追加されたクリップストリームは、現在再生中であるプレイアイテムのメインビデオストリームと同期を合わせて再生される。クリップストリーム（クリップストリームの再生が始まる付加データでの位置）の現在再生時刻は、クリップストリームの長さと開始時刻によって再生時刻が決定される。すなわち、プレイアイテムの現在再生時刻と同時にクリップストリームの現在再生時刻を決定するために、クリップストリームの開始時刻とプレイアイテムの開始開始とが比較される。
【００２７】
クリップストリームの長さが再生中であるプレイアイテムと同じ長さを有する場合は、すなわち、再生開始時間が同じ場合、プレイアイテムが現在再生されるＡＶデータでの位置に対応する付加データの位置からクリップストリームが再生される。したがって、プレイアイテムの開始時刻（Ｉｎ＿ｔｉｍｅ）とプレイアイテムの現在再生時刻との差を計算し、その差によりクリップストリームの現在再生時刻を決定する（６０６）。すなわち、プレイアイテムが現在再生されるＡＶデータでの位置は、クリップストリームに対応する付加データでの位置と同じであり、その位置はクリップストリームの現在再生開始時刻として使われる。
【００２８】
クリップストリームの長さがプレイアイテムの長さと異なる場合、例えば、クリップストリームの開始時刻（Ｉｎ＿ｔｉｍｅ）がダウンロード要請時点である場合、すなわち、プレイアイテムの開始時刻以後の時点である場合、ダウンロード要請時点とプレイアイテムの現在再生時刻との差によりクリップストリームの再生時刻を決定する（６０８）。前記のように決定された現在再生時刻からクリップストリームを再生することによって、タイトル転換なしに、メインビデオストリームと同期を合わせて新たな付加データを再生しうる（６１０）。
【００２９】
前述したような本発明による方法は、コンピュータで読取り可能な記録媒体にコンピュータで読取り可能なコードとして具現しうる。
【００３０】
以上、本発明についてその望ましい実施例を中心に説明した。本発明が属する技術分野で通常の知識を有する者は、本発明が本発明の本質的な特性から外れない範囲で変形された形で具現されうることを理解できるであろう。したがって、開示された実施例は、限定的な観点ではなく、説明的な観点で考慮されねばならない。本発明の範囲は、前記説明ではなく、特許請求の範囲に示されており、それと同等な範囲内にあるあらゆる差異点は本発明に含まれるものと解釈されねばならない。
【図１】
2010522948.tif 000003
【図２】
2010522948.tif 000004
【図３】
2010522948.tif 000005
【図４】
2010522948.tif 000006
【図５】
2010522948.tif 000007
【図６】
2010522948.tif 000008
【国際調査報告】
2010522948.tif 000009
2010522948.tif 000010